(57)【要約】【課題】熱変色性インキによる２種類の筆跡を１本の筆記具で得ることができる熱変色性筆記具を提供する。【解決手段】軸筒４の一端に第１のペン先２Ａを設け且つ軸筒４の他端に第２のペン先２Ｂを設ける。軸筒４内に第１の熱変色性インキ３Ａ及び第２の熱変色性インキ３Ｂを収容する。第１のペン先２Ａ側に第１のキャップ８Ａを装着可能に設け、第２のペン先２Ｂ側に第２のキャップ８Ｂを装着可能に設ける。第１のキャップ８Ａの頂部に摩擦部８２Ａを設ける。第２のキャップ８Ｂの頂部に摩擦部８２Ｂを設ける。前記第１の熱変色性インキ３Ａの筆跡及び前記第２の熱変色性インキ３Ｂの筆跡の各々を前記摩擦部８２Ａ，８２Ｂによって摩擦し、その際に生じる摩擦熱で前記筆跡の各々が熱変色可能である。【選択図】  図１
2008273075.tif 000002
【特許請求の範囲】
【請求項１】
軸筒の一端に第１のペン先を設け且つ軸筒の他端に第２のペン先を設け、軸筒内に第１の熱変色性インキ及び第２の熱変色性インキを収容し、前記第１のペン先から前記第１の熱変色性インキが吐出可能であり、前記第２のペン先から前記第２の熱変色性インキが吐出可能であり、前記第１のペン先側に第１のキャップを装着可能に設け、前記第２のペン先側に第２のキャップを装着可能に設け、前記第１のキャップの頂部または第２のキャップの頂部に摩擦部を設け、前記第１の熱変色性インキの筆跡及び前記第２の熱変色性インキの筆跡の各々を前記摩擦部によって摩擦し、その際に生じる摩擦熱で前記筆跡の各々が熱変色可能であることを特徴とする熱変色性筆記具。
【請求項２】
前記第１の熱変色性インキの発色状態の色と前記第２の熱変色性インキとの発色状態の色とが異なる請求項１記載の熱変色性筆記具。
【請求項３】
前記第１の熱変色性インキ及び前記第２の熱変色性インキの各々の、摩擦部の摩擦熱による変色温度を２５℃〜９５℃に設定した請求項１または２記載の熱変色性筆記具。
【請求項４】
前記第１のペン先及び前記第２のペン先がボールペンチップからなる請求項１、２または３記載の熱変色性筆記具。
【請求項５】
前記第１のペン先及び前記第２のペン先が多孔質ペン体からなる請求項１、２または３記載の熱変色性筆記具。
【請求項６】
軸筒の一端に第１のペン先を設け且つ軸筒の他端に第２のペン先を設け、前記軸筒の内部に熱変色性インキ及び非熱変色性インキを収容し、前記第１のペン先または第２のペン先の中のいずれかの一方のペン先から熱変色性インキを吐出可能に構成し、前記第１のペン先または第２のペン先の中の他方のペン先から非熱変色性インキを吐出可能に構成し、前記第１のペン先側に第１のキャップを装着可能に設け、前記第２のペン先側に第２のキャップを装着可能に設け、前記第１のキャップの頂部または第２のキャップの頂部に摩擦部を設け、前記熱変色性インキの筆跡を前記摩擦部によって摩擦し、その際に生じる摩擦熱で前記筆跡が熱変色可能であることを特徴とする熱変色性筆記具。
【請求項７】
前記熱変色性インキの、摩擦部の摩擦熱による変色温度を２５℃〜９５℃に設定した請求項６記載の熱変色性筆記具。
【請求項８】
前記第１のペン先及び前記第２のペン先がボールペンチップからなる請求項６または７記載の熱変色性筆記具。
【請求項９】
前記第１のペン先及び前記第２のペン先が多孔質ペン体からなる請求項６または７記載の熱変色性筆記具。
【請求項１０】
軸筒の一端に第１のペン先を設け且つ軸筒の他端に第２のペン先を設け、前記第１のペン先による筆跡の幅と前記第２のペン先による筆跡の幅とが異なり、前記軸筒の内部に熱変色性インキを収容し、前記第１のペン先及び第２のペン先から前記熱変色性インキを吐出可能に構成し、前記第１のペン先側に第１のキャップを装着可能に設け、前記第２のペン先側に第２のキャップを装着可能に設け、前記第１のキャップの頂部または第２のキャップの頂部に摩擦部を設け、前記熱変色性インキの筆跡を前記摩擦部によって摩擦し、その際に生じる摩擦熱で前記筆跡が熱変色可能であることを特徴とする熱変色性筆記具。
【請求項１１】
前記熱変色性インキの、摩擦部の摩擦熱による変色温度を２５℃〜９５℃に設定した請求項１０記載の熱変色性筆記具。
【請求項１２】
前記第１のペン先及び前記第２のペン先が多孔質ペン体からなる請求項１０または１１記載の熱変色性筆記具。
【発明の詳細な説明】
【技術分野】
【０００１】
本発明は、熱変色性筆記具に関する。詳細には、熱変色性インキを内蔵した熱変色性筆記具に関する。
【背景技術】
【０００２】
従来、熱変色性インキを内蔵した熱変色性筆記具において、特許文献１には、熱変色性インキによる筆跡を摩擦熱で熱変色させるための摩擦体を、キャップの頂部に設ける構成や、軸胴の後端に設ける構成が記載されている。
【０００３】
【特許文献１】特開２００４−１４８７４４号公報
【発明の開示】
【発明が解決しようとする課題】
【０００４】
前記従来の熱変色性筆記具は、１本の軸胴に１種類のペン先が軸胴に取り付けられている構成であり、２種類の筆跡（例えばペン先種類やインキ色の異なる筆跡）を得るには２本の筆記具が必要となるため、用意する筆記具の総本数が増加し、携帯や保管に不便である。
【０００５】
本発明は、前記従来の問題点を解決するものであって、熱変色性インキによる２種類の筆跡を１本の筆記具で得ることができる熱変色性筆記具を提供しようとするものである。また、本発明は、熱変色性インキと非熱変色性インキによる２種類の筆跡を１本の筆記具で得ることができる熱変色性筆記具を提供しようとするものである。
【課題を解決するための手段】
【０００６】
本願の第１の発明は、軸筒４の一端に第１のペン先２Ａを設け且つ軸筒４の他端に第２のペン先２Ｂを設け、軸筒４内に第１の熱変色性インキ３Ａ及び第２の熱変色性インキ３Ｂを収容し、前記第１のペン先２Ａから前記第１の熱変色性インキ３Ａが吐出可能であり、前記第２のペン先２Ｂから前記第２の熱変色性インキ３Ｂが吐出可能であり、前記第１のペン先２Ａ側に第１のキャップ８Ａを装着可能に設け、前記第２のペン先２Ｂ側に第２のキャップ８Ｂを装着可能に設け、前記第１のキャップ８Ａの頂部または第２のキャップ８Ｂの頂部に摩擦部８２Ａ，８２Ｂを設け、前記第１の熱変色性インキ３Ａの筆跡及び前記第２の熱変色性インキ３Ｂの筆跡の各々を前記摩擦部８２Ａ，８２Ｂによって摩擦し、その際に生じる摩擦熱で前記筆跡の各々が熱変色可能であることを要件とする。
【０００７】
前記第１の発明の熱変色性筆記具１は、熱変色性インキによる２種類の筆跡を１本の筆記具で得ることができる。また、前記第１の発明の熱変色性筆記具１は、第１のペン先２Ａによる第１の熱変色性インキ３Ａの筆跡及び第２のペン先２Ｂによる第２の熱変色性インキ３Ｂの筆跡の各々が、摩擦部８２Ａ，８２Ｂによって熱変色可能であるため、第１の熱変色性インキ３Ａの筆跡と第２の熱変色性の筆跡（即ち２種類の筆跡）を、摩擦部８２Ａ，８２Ｂによって一度に熱変色させることができる。尚、前記第１の発明の第１のペン先２Ａ及び第２のペン先２Ｂは、例えば、ボールペンチップ、多孔質ペン体（繊維加工体または多孔質気泡体）、軸方向の毛細管通路を有する合成樹脂の押出成形よりなるペン体、先端にスリットを有する金属製板状ペン体、毛筆ペン体等、いずれであってもよい。前記摩擦部は、第１のキャップ８Ａ、第２のキャップ８Ｂの両方に設けてもよいし、第１のキャップ８Ａ、第２のキャップ８Ｂのいずれか一方に設けてもよい。
【０００８】
本願の第２の発明は、前記第１の発明において、前記第１の熱変色性インキ３Ａの発色状態の色と前記第２の熱変色性インキ３Ｂとの発色状態の色とが異なることを要件とする。
【０００９】
前記第２の発明の熱変色性筆記具１は、第１の熱変色性インキ３Ａと第２の熱変色性インキ３Ｂによる発色状態の色が異なる２種類の筆跡を、摩擦部８２Ａ，８２Ｂの摩擦熱により一度に熱変色させることができる。また、前記第２の発明の熱変色性筆記具１は、第１の熱変色性インキ３Ａの筆跡と、第２の熱変色性インキ３Ｂの筆跡が重なった状態での場合でも、異なる発色状態の色によって前記２種類の筆跡を識別できる。
【００１０】
本願の第３の発明は、前記第１または第２の発明において、前記第１の熱変色性インキ３Ａ及び第２の熱変色性インキ３Ｂの各々の、摩擦部８２Ａ，８２Ｂの摩擦熱による変色温度を２５℃〜９５℃（好ましくは３６℃〜９０℃）に設定したことを要件とする。
【００１１】
前記第３の発明の熱変色性筆記具１は、摩擦部８２Ａ，８２Ｂによる摩擦熱によって、第１の熱変色性インキ３Ａと第２の熱変色性インキ３Ｂとによる２種類の筆跡を、確実に、一度に熱変色させることができる。もし、第１の熱変色性インキ３Ａの変色温度と第２の熱変色性インキ３Ｂの変色温度のいずれかが、前記温度範囲から外れている場合、２種類の筆跡を、摩擦部８２Ａ，８２Ｂの摩擦熱で一度に熱変色できないおそれがある。
【００１２】
本願の第４の発明の熱変色性筆記具１は、前記第１、第２または第３の発明において、前記第１のペン先２Ａ及び前記第２のペン先２Ｂがボールペンチップからなることを要件とする。
【００１３】
前記第４の発明の熱変色性筆記具１は、ボールペンチップによる２種類の熱変色性インキの筆跡を１本の筆記具で得ることができる。
【００１４】
本願の第５の発明の熱変色性筆記具１は、前記第１、第２または第３の発明において、前記第１のペン先２Ａ及び前記第２のペン先２Ｂが多孔質ペン体からなることを要件とする。
【００１５】
前記第５の発明の熱変色性筆記具１は、多孔質ペン体による２種類の熱変色性インキの筆跡を１本の筆記具で得ることができる。
【００１６】
本願の第６の発明の熱変色性筆記具１は、軸筒４の一端に第１のペン先２Ａを設け且つ軸筒４の他端に第２のペン先２Ｂを設け、前記軸筒４の内部に熱変色性インキ３Ｃ及び非熱変色性インキ３Ｄを収容し、前記第１のペン先２Ａまたは第２のペン先２Ｂの中のいずれかの一方のペン先から熱変色性インキ３Ｃを吐出可能に構成し、前記第１のペン先２Ａまたは第２のペン先２Ｂの中の他方のペン先から非熱変色性インキ３Ｄを吐出可能に構成し、前記第１のペン先２Ａ側に第１のキャップ８Ａを装着可能に設け、前記第２のペン先２Ｂ側に第２のキャップ８Ｂを装着可能に設け、前記第１のキャップ８Ａの頂部または第２のキャップ８Ｂの頂部に摩擦部８２Ａ，８２Ｂを設け、前記熱変色性インキ３Ｃの筆跡を前記摩擦部８２Ａ，８２Ｂによって摩擦し、その際に生じる摩擦熱で前記筆跡が熱変色可能であることを要件とする。
【００１７】
前記第６の発明の熱変色性筆記具１は、熱変色性インキ３Ｃによる筆跡と非熱変色性インキ３Ｄによる筆跡の２種類の筆跡を１本の筆記具で得ることができる。また、前記第１の発明の熱変色性筆記具１は、熱変色性インキ３Ｃによる筆跡が摩擦部８２Ａ，８２Ｂによって熱変色可能であるため、熱変色性インキ３Ｃによる筆跡と非熱変色性インキ３Ｄによる筆跡とが重なった状態または近接した状態の場合でも、摩擦部８２Ａ，８２Ｂによって熱変色性インキ３Ｃによる筆跡のみを熱変色させることができる。尚、前記非熱変色性インキ３Ｄは、少なくとも、摩擦部８２Ａ，８２Ｂの摩擦熱によっては熱変色しないインキである。
【００１８】
本願の第７の発明の熱変色性筆記具１は、前記第６の発明において、前記熱変色性インキ３Ｃの、摩擦部８２Ａ，８２Ｂの摩擦熱による変色温度を２５℃〜９５℃（好ましくは３６℃〜９０℃）に設定したことを要件とする。
【００１９】
前記第７の発明の熱変色性筆記具１は、摩擦部８２Ａ，８２Ｂによる摩擦熱によって、熱変色性インキ３Ｃにより筆跡を、確実に、熱変色させることができる。もし、熱変色性インキ３Ｃの変色温度が、前記温度範囲から外れている場合、摩擦部８２Ａ，８２Ｂで熱変色できないおそれがある。
【００２０】
本願の第８の発明の熱変色性筆記具１は、前記第６または第７の発明において、前記第１のペン先２Ａ及び前記第２のペン先２Ｂがボールペンチップからなることを要件とする。
【００２１】
前記第８の発明の熱変色性筆記具１は、ボールペンチップによる、熱変色性インキ３Ｃと非熱変色性インキ３Ｄの２種類の筆跡を１本の筆記具で得ることができる。
【００２２】
本願の第９の発明の熱変色性筆記具１は、前記第６または第７の発明において、前記第１のペン先２Ａ及び前記第２のペン先２Ｂが多孔質ペン体からなることを要件とする。
【００２３】
前記第９の発明の熱変色性筆記具１は、多孔質ペン体による、熱変色性インキ３Ｃと非熱変色性インキ３Ｄの２種類の筆跡を１本の筆記具で得ることができる。
【００２４】
本願の第１０の発明の熱変色性筆記具１は、軸筒４の一端に第１のペン先２Ａを設け且つ軸筒４の他端に第２のペン先２Ｂを設け、前記第１のペン先２Ａによる筆跡の幅と前記第２のペン先２Ｂによる筆跡の幅とが異なり、前記軸筒４の内部に熱変色性インキを収容し、前記第１のペン先２Ａ及び第２のペン先２Ｂから前記熱変色性インキを吐出可能に構成し、前記第１のペン先２Ａ側に第１のキャップ８Ａを装着可能に設け、前記第２のペン先２Ｂ側に第２のキャップ８Ｂを装着可能に設け、前記第１のキャップ８Ａの頂部または第２のキャップ８Ｂの頂部に摩擦部８２Ａ，８２Ｂを設け、前記熱変色性インキの筆跡を前記摩擦部８２Ａ，８２Ｂによって摩擦し、その際に生じる摩擦熱で前記筆跡が熱変色可能であることを要件とする。
【００２５】
前記第１０の発明の熱変色性筆記具１は、熱変色性インキによる筆跡幅の異なる２種類の筆跡を１本の筆記具で得ることができる。また、前記第１０の発明の熱変色性筆記具１は、第１のペン先２Ａによる筆跡及び第２のペン先２Ｂによる筆跡の各々を、摩擦部８２Ａ，８２Ｂによって熱変色可能であるため、第１のペン先２Ａによる筆跡と第２のペン先２Ｂによる筆跡（即ち２種類の筆跡）を、摩擦部８２Ａ，８２Ｂによって一度に熱変色させることができる。
【００２６】
本願の第１１の発明の熱変色性筆記具１は、前記第１０の発明において、前記熱変色性インキの、摩擦部８２Ａ，８２Ｂの摩擦熱による変色温度を２５℃〜９５℃（好ましくは３６℃〜９０℃）に設定したことを要件とする。
【００２７】
前記第１１の発明の熱変色性筆記具１は、摩擦部８２Ａ，８２Ｂによる摩擦熱によって、熱変色性インキによる２種類の筆跡を、確実に、一度に熱変色させることができる。もし、熱変色性インキの変色温度が、前記温度範囲から外れている場合、摩擦部８２Ａ，８２Ｂで熱変色できないおそれがある。
【００２８】
本願の第１２の発明の熱変色性筆記具１は、前記第１０または１１の発明において、前記第１のペン先２Ａ及び前記第２のペン先２Ｂが多孔質ペン体からなることを要件とする。
【００２９】
前記第１２の発明の熱変色性筆記具１は、多孔質ペン体による筆跡幅の異なる２種類の熱変色性インキの筆跡を１本の筆記具で得ることができる。
【００３０】
・摩擦部
尚、本発明で、前記摩擦部８２Ａ，８２Ｂは軟質材料からなることが好ましい。前記摩擦部８２Ａ，８２Ｂを構成する軟質材料とは、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部８２Ａ，８２Ｂを構成する軟質材料は、高摩耗性の弾性材料（例えば、消しゴム等）からなるものよりも、低摩耗性の弾性材料からなるものが、消しカスが生じない点で有効である。前記摩擦部８２Ａ，８２Ｂは、キャップ８Ａ，８Ｂの頂部に２色成形により一体に形成する構成、またはキャップと別部品からなる摩擦部８２Ａ，８２Ｂをキャップ頂部に固着（例えば、嵌着、圧入、螺着、接着）する構成が挙げられる。
【００３１】
・ペン先
前記ボールペンチップは、チップ本体の先端に回転可能にボールが抱持された構成である。また、前記ボールペンチップは、ボールをチップ本体内から前方に弾発体により付勢し、ボールをチップ本体のカシメ部（先端縁部）内面に圧接させる構成が有効である。
【００３２】
前記多孔質ペン体は、例えば、繊維加工体または多孔質気泡体からなるペン体が挙げられる。前記多孔質ペン体は、先端部が、チゼル形状または砲弾形状に形成される。
【００３３】
・熱変色性インキ
尚、本発明で、前記熱変色性インキは、可逆熱変色性インキが好ましい。前記可逆熱変色性インキは、発色状態から加熱により消色する加熱消色型、発色状態又は消色状態を互変的に特定温度域で記憶保持する色彩記憶保持型、又は、消色状態から加熱により発色し、発色状態からの冷却により消色状態に復する加熱発色型等、種々のタイプを単独又は併用して構成することができる。
【００３４】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。
【００３５】
本発明では、図６に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、又は完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図６において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００３６】
前記実質的二相保持温度域は、目的に応じて設定できるが、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができると共に、可逆熱変色性インキによる筆跡を摩擦部による摩擦熱で容易に変色することができる。
【００３７】
前記可逆熱変色性マイクロカプセル顔料は、粒子径の平均値が０．５〜５．０μｍ、好ましくは１〜４μｍの範囲にあることが好ましい。平均粒子径が５．０μｍを越える系では、ボールペンチップや多孔質ペン体の毛細間隙からの流出性が低下し、平均粒子径が０．５μｍ以下の系では高濃度の発色性を示し難くなる。
【００３８】
前記可逆熱変色性マイクロカプセル顔料は、インキ組成物全量に対し、２〜５０重量％（好ましくは３〜４０重量％、更に好ましくは、４〜３０重量％）配合することができる。２重量％未満では発色濃度が不充分であり、５０重量％を越えるとインキ流出性が低下し、筆記性が阻害される。
【発明の効果】
【００３９】
本発明は、熱変色性インキによる２種類の筆跡を１本の筆記具で得ることができる。
【００４０】
また、本発明は、熱変色性インキと非熱変色性インキによる２種類の筆跡を１本の筆記具で得ることができる。
【発明を実施するための最良の形態】
【００４１】
＜第１の実施の形態＞
本発明の熱変色性筆記具１の第１の実施の形態を図１に示す。
本実施の形態の熱変色性筆記具１は、軸筒４と、軸筒４の一端に設けたボールペンチップからなる第１のペン先２Ａと、軸筒４の他端に設けたボールペンチップからなる第２のペン先２Ｂと、前記第１のペン先２Ａ側の軸筒４に装着可能な第１のキャップ８Ａと、前記第２のペン先２Ｂ側の軸筒４に装着可能な第２のキャップ８Ｂとからなる。前記軸筒４内には、第１のペン先２Ａを備えた第１のボールペンレフィル、及び第２のペン先２Ｂを備えた第２のボールペンレフィルが収容される。前記軸筒４の一端より前記第１のペン先２Ａが突出され、前記軸筒４の他端より前記第２のペン先２Ｂが突出される。
【００４２】
前記軸筒４は、円筒状の軸筒本体４１と、該軸筒本体４１の両端に取り付けられる第１の先軸４２Ａ及び第２の先軸４２Ｂからなる。前記第１の先軸４２Ａ及び第２の先軸４２Ｂは、螺合により軸筒４本体と着脱自在に取り付けられる。
【００４３】
・第１のボールペンレフィル
前記第１のボールペンレフィルは、先端にボールペンチップからなる第１のペン先２Ａを備え、内部に第１の熱変色性インキ３Ａが収容される。前記第１の熱変色性インキ３Ａが前記第１のペン先２Ａより外部に吐出され、第１の熱変色性インキ３Ａによる筆跡を得ることができる。前記第１のペン先２Ａ内には、弾発体（スプリング）が収容される。前記弾発体により、第１のペン先２Ａのボールを、前方に付勢し且つ第１のペン先２Ａの内向きのカシメ部内面（先端縁部内面）に圧接させ、非筆記時のペン先からのインキ漏出及び空気混入を防止する。
【００４４】
前記第１のペン先２Ａは、ペン先ホルダー５Ａを介してインキ収容筒６Ａに取り付けられる。具体的には、前記ペン先ホルダー５Ａの一端に第１のペン先２Ａが固着され、前記ペン先ホルダー５Ａの他端が前記インキ収容筒６Ａの開口部に固着される。前記ペン先ホルダー５Ａは、外周面に鍔部を備え、該鍔部が、第１の先軸４２Ａ内面と、軸筒本体４１一端とにより挟持される。
【００４５】
・第１の熱変色性インキ
前記第１の熱変色性インキ３Ａは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００４６】
前記インキ収容筒６Ａ内には、第１の熱変色性インキ３Ａが収容される。前記インキ収容筒６Ａ内の第１の熱変色性インキ３Ａの後端には、追従体３１Ａが収容される。前記追従体３１Ａは、インキの消費に伴い前進し且つインキの後退（即ち逆流）を防止するものであり、例えば、高粘度流体、弾性材料よりなる可動栓、または高粘度流体中に固体物を収容させた構成等が挙げられる。
【００４７】
・第１のキャップ
前記第１のキャップ８Ａは、合成樹脂の射出成形より得られる円筒状部材である。前記第１のキャップ８Ａは、内部に弾性材料よりなるペン先シール部材８１Ａを備える。前記ペン先シール部材８１Ａは、第１のペン先２Ａ側の軸筒４外周面に装着した際、第１のペン先２Ａの先端と密接し、第１のペン先２Ａの先端を密封する。前記第１のキャップ８Ａの側壁には、クリップが一体または別部品の取り付けにより設けられる。
【００４８】
前記第１のキャップ８Ａの頂部（即ち第１のキャップ８Ａの閉鎖側端部）には、軟質材料（例えば、ＳＢＳ樹脂、ＳＥＢＳ樹脂）よりなる摩擦部８２Ａが取り付けられる。尚、前記摩擦部８２Ａは、第１のキャップ８Ａと２色成形により一体に形成することもできる。
【００４９】
・第２のボールペンレフィル
前記第２のボールペンレフィルは、先端にボールペンチップからなる第２のペン先２Ｂを備え、内部に第２の熱変色性インキ３Ｂが収容される。前記第２の熱変色性インキ３Ｂが前記第２のペン先２Ｂより外部に吐出され、第２の熱変色性インキ３Ｂによる筆跡を得ることができる。前記第２のペン先２Ｂ内には、弾発体（スプリング）が収容される。前記弾発体により、第２のペン先２Ｂのボールを、前方に付勢し且つ第２のペン先２Ｂの内向きのカシメ部内面（先端縁部内面）に圧接させ、非筆記時のペン先からのインキ漏出及び空気混入を防止する。
【００５０】
前記第２のペン先２Ｂは、ペン先ホルダー５Ｂを介してインキ収容筒６Ｂに取り付けられる。具体的には、前記ペン先ホルダー５Ｂの一端に第２のペン先２Ｂが固着され、前記ペン先ホルダー５Ｂの他端が前記インキ収容筒６Ｂの開口部に固着される。前記ペン先ホルダー５Ｂは、外周面に鍔部を備え、該鍔部が、第２の先軸４２Ｂ内面と、軸筒本体４１他端とにより挟持される。本実施の形態では、第１のペン先２Ａによる筆跡幅と第２のペン先２Ｂによる筆跡幅とは、ボールペンチップ先端のボールの直径を適宜設定することにより、異なる構成にすることもできるし、同じにすることもできる。
【００５１】
・第２の熱変色性インキ
前記第２の熱変色性インキ３Ｂは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００５２】
前記インキ収容筒６Ｂ内には、第２の熱変色性インキ３Ｂが収容される。前記インキ収容筒６Ｂ内の第２の熱変色性インキ３Ｂの後端には、追従体３１Ｂが収容される。前記追従体３１Ｂは、インキの消費に伴い前進し且つインキの後退（即ち逆流）を防止するものであり、例えば、高粘度流体、弾性材料よりなる可動栓、または高粘度流体中に固体物を収容させた構成等が挙げられる。
【００５３】
前記第１の熱変色性インキ３Ａの発色状態の色と前記第２の熱変色性インキ３Ｂとの発色状態の色が異なる。
【００５４】
・第２のキャップ
前記第２のキャップ８Ｂは、合成樹脂の射出成形より得られる円筒状部材である。前記第２のキャップ８Ｂは、内部に弾性材料よりなるペン先シール部材を備える。前記ペン先シール部材は、第２のペン先２Ｂ側の軸筒４外周面に装着した際、第２のペン先２Ｂの先端と密接し、第２のペン先２Ｂの先端を密封する。
【００５５】
前記第２のキャップ８Ｂの頂部（即ち第２のキャップ８Ｂの閉鎖側端部）には、軟質材料（例えば、ＳＢＳ樹脂、ＳＥＢＳ樹脂）よりなる摩擦部８２Ｂが取り付けられる。尚、前記摩擦部８２Ｂは、第２のキャップ８Ｂと２色成形により一体に形成することもできる。
【００５６】
・キャップの連結
第１のキャップ８Ａの頂部外周面の、露出する摩擦部８２Ａよりキャップ開口方向には、第２のキャップ８Ｂの開口部内周面が嵌合可能な嵌合部８３Ａが形成される。第２のキャップ８Ｂの頂部外周面の、露出する摩擦部８２Ｂよりキャップ開口方向には、第１のキャップ８Ａの開口部内周面が嵌合可能な嵌合部８３Ｂが形成される。
【００５７】
第１のペン先２Ａを使用する際、第１のキャップ８Ａの開口部内周面と第２のキャップ８Ｂの頂部外周面（即ち嵌合部８３Ｂ）とを嵌合させことができる。第２のペン先２Ｂを使用する際、第２のキャップ８Ｂの開口部内周面と第１のキャップ８Ａの頂部外周面（即ち嵌合部８３Ａ）とを嵌合させことができる。
【００５８】
＜第２の実施の形態＞
本発明の熱変色性筆記具１の第２の実施の形態を図２に示す。
本実施の形態の熱変色性筆記具１は、軸筒４と、軸筒４の一端に設けた多孔質ペン体からなる第１のペン先２Ａと、軸筒４の他端に設けた多孔質ペン体からなる第２のペン先２Ｂと、前記第１のペン先２Ａ側の軸筒４に装着可能な第１のキャップ８Ａと、前記第２のペン先２Ｂ側の軸筒４に装着可能な第２のキャップ８Ｂとからなる。前記軸筒４内には、第１のペン先２Ａと接続された第１のインキ吸蔵体７Ａ、及び第２のペン先２Ｂと接続された第２のインキ吸蔵体７Ｂとが収容される。前記軸筒４の一端より前記第１のペン先２Ａが突出され、前記軸筒４の他端より前記第２のペン先２Ｂが突出される。
【００５９】
前記軸筒４は、円筒状の軸筒本体４１と、該本体の両端に取り付けられる第１の先軸４２Ａ及び第２の先軸４２Ｂからなる。前記軸筒本体４１は、両端が開口され、中間部に隔壁を有する。
【００６０】
・第１のペン先
前記第１のペン先２Ａは、第１の先軸４２Ａを介して軸筒本体４１に取り付けられる。具体的には、前記第１の先軸４２Ａの一端に第１のペン先２Ａが固着され、前記第１の先軸４２Ａの他端が前記軸筒本体４１の一端開口部に固着される。前記第１の先軸４２Ａは、外周面に鍔部を備え、該鍔部が、軸筒本体４１の一端に当接される。
【００６１】
・第１の熱変色性インキ
前記第１のインキ吸蔵体７Ａの内部に第１の熱変色性インキが含浸される。前記第１の熱変色性インキが前記第１のペン先２Ａより外部に吐出され、第１の熱変色性インキによる筆跡を得ることができる。第１のインキ吸蔵体７Ａは、インキを含浸可能な連続気孔を有する部材、例えば、繊維加工体、多孔質気泡体等の多孔質材料からなる。
【００６２】
前記第１の熱変色性インキは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００６３】
・第１のキャップ
前記第１のキャップ８Ａは、合成樹脂の射出成形より得られる円筒状部材である。前記第１のキャップ８Ａは、第１のペン先２Ａを使用しないとき、第１のペン先２Ａ側の軸筒４の外周面（具体的には第１の先軸４２Ａの外周面）に気密嵌合され、第１のペン先２Ａを密封する。前記第１のキャップ８Ａの側壁には、クリップが一体または別部品の取り付けにより設けられる。
【００６４】
・第２のペン先
前記第２のペン先２Ｂは、第２の先軸４２Ｂを介して軸筒本体４１に取り付けられる。具体的には、前記第２の先軸４２Ｂの一端に第２のペン先２Ｂが固着され、前記第２の先軸４２Ｂの他端が前記軸筒本体４１の他端開口部に固着される。前記第２の先軸４２Ｂは、外周面に鍔部を備え、該鍔部が、軸筒本体４１の他端に当接される。本実施の形態では、第１のペン先２Ａによる筆跡幅と第２のペン先２Ｂによる筆跡幅とは異なるが、同じでもよい。
【００６５】
・第２の熱変色性インキ
前記第２のインキ吸蔵体７Ｂの内部に第２の熱変色性インキが含浸される。前記第２の熱変色性インキ３Ｂが前記第２のペン先２Ｂより外部に吐出され、第２の熱変色性インキ３Ｂによる筆跡を得ることができる。第２のインキ吸蔵体７Ｂは、インキを含浸可能な連続気孔を有する部材、例えば、繊維加工体、多孔質気泡体等の多孔質材料からなる。
【００６６】
前記第２の熱変色性インキは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００６７】
前記第１の熱変色性インキの発色状態の色と前記第２の熱変色性インキとの発色状態の色が異なる。
【００６８】
・第２のキャップ
前記第２のキャップ８Ｂは、合成樹脂の射出成形より得られる円筒状部材である。前記第２のキャップ８Ｂは、第２のペン先２Ｂを使用しないとき、第２のペン先２Ｂ側の軸筒４の外周面（具体的には第２の先軸４２Ｂの外周面）に気密嵌合され、第２のペン先２Ｂを密封する。
【００６９】
・キャップの連結
第１のキャップ８Ａの頂部外周面の、露出する摩擦部８２Ａよりキャップ開口方向には、第２のキャップ８Ｂの開口部内周面が嵌合可能な嵌合部８３Ａが形成される。第２のキャップ８Ｂの頂部外周面の、露出する摩擦部８２Ｂよりキャップ開口方向には、第１のキャップ８Ａの開口部内周面が嵌合可能な嵌合部８３Ｂが形成される。
【００７０】
第１のペン先２Ａを使用する際、第１のキャップ８Ａの開口部内周面と第２のキャップ８Ｂの頂部外周面（即ち嵌合部８３Ｂ）とを嵌合させることができる。第２のペン先２Ｂを使用する際、第２のキャップ８Ｂの開口部内周面と第１のキャップ８Ａの頂部外周面（即ち嵌合部８３Ａ）とを嵌合させることができる。
【００７１】
＜第３の実施の形態＞
本発明の熱変色性筆記具１の第３の実施の形態を図３に示す。
本実施の形態の熱変色性筆記具１は、軸筒４と、軸筒４の一端に設けた多孔質ペン体からなる第１のペン先２Ａと、軸筒４の他端に設けた多孔質ペン体からなる第２のペン先２Ｂと、前記第１のペン先２Ａ側の軸筒４に装着可能な第１のキャップ８Ａと、前記第２のペン先２Ｂ側の軸筒４に装着可能な第２のキャップ８Ｂとからなる。前記軸筒４内には、一端に第１のペン先２Ａが接続され且つ他端に第２のペン先２Ｂが接続されたインキ吸蔵体７が収容される。前記軸筒４の一端より前記第１のペン先２Ａが突出され、前記軸筒４の他端より前記第２のペン先２Ｂが突出される。
【００７２】
前記軸筒４は、両端が開口した円筒状の軸筒本体４１と、該本体の両端に取り付けられる第１の先軸４２Ａ及び第２の先軸４２Ｂからなる。
【００７３】
・第１のペン先
前記第１のペン先２Ａは、第１の先軸４２Ａを介して軸筒本体４１に取り付けられる。具体的には、前記第１の先軸４２Ａの一端に第１のペン先２Ａが固着され、前記第１の先軸４２Ａの他端が前記軸筒本体４１の一端開口部に固着される。前記第１の先軸４２Ａは、外周面に鍔部を備え、該鍔部が、軸筒本体４１の一端に当接される。
【００７４】
・第２のペン先
前記第２のペン先２Ｂは、第２の先軸４２Ｂを介して軸筒本体４１に取り付けられる。具体的には、前記第２の先軸４２Ｂの一端に第２のペン先２Ｂが固着され、前記第２の先軸４２Ｂの他端が前記軸筒本体４１の他端開口部に固着される。前記第２の先軸４２Ｂは、外周面に鍔部を備え、該鍔部が、軸筒本体４１の他端に当接される。前記第２のペン先２Ｂと第１のペン先２Ａとは、先端の外径が異なり、それにより、得られる筆跡幅が異なる。
【００７５】
・熱変色性インキ
前記インキ吸蔵体７の内部に１種類の熱変色性インキが含浸される。前記熱変色性インキが前記第１のペン先２Ａ及び第２のペン先２Ｂより外部に吐出され、熱変色性インキによる筆跡幅の異なる２種類の筆跡を得ることができる。前記インキ吸蔵体７は、インキを含浸可能な連続気孔を有する部材、例えば、繊維加工体、多孔質気泡体等の多孔質材料からなる。
【００７６】
前記熱変色性インキは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００７７】
・第１のキャップ
前記第１のキャップ８Ａは、合成樹脂の射出成形より得られる円筒状部材である。前記第１のキャップ８Ａは、第１のペン先２Ａを使用しないとき、第１のペン先２Ａ側の軸筒４の外周面（具体的には第１の先軸４２Ａの外周面）に気密嵌合され、第１のペン先２Ａを密封する。前記第１のキャップ８Ａの側壁には、クリップが一体または別部品の取り付けにより設けられる。
【００７８】
・第２のキャップ
前記第２のキャップ８Ｂは、合成樹脂の射出成形より得られる円筒状部材である。前記第２のキャップ８Ｂは、第２のペン先２Ｂを使用しないとき、第２のペン先２Ｂ側の軸筒４の外周面（具体的には第２の先軸４２Ｂの外周面）に気密嵌合され、第２のペン先２Ｂを密封する。
【００７９】
・キャップの連結
第１のキャップ８Ａの頂部外周面の、露出する摩擦部８２Ａよりキャップ開口方向には、第２のキャップ８Ｂの開口部内周面が嵌合可能な嵌合部８３Ａが形成される。第２のキャップ８Ｂの頂部外周面の、露出する摩擦部８２Ｂよりキャップ開口方向には、第１のキャップ８Ａの開口部内周面が嵌合可能な嵌合部８３Ｂが形成される。
【００８０】
第１のペン先２Ａを使用する際、第１のキャップ８Ａの開口部内周面と第２のキャップ８Ｂの頂部外周面（即ち嵌合部８３Ｂ）とを嵌合させことができる。第２のペン先２Ｂを使用する際、第２のキャップ８Ｂの開口部内周面と第１のキャップ８Ａの頂部外周面（即ち嵌合部８３Ａ）とを嵌合させことができる。
【００８１】
＜第４の実施の形態＞
本発明の熱変色性筆記具１の第４の実施の形態を図４に示す。
本実施の形態の熱変色性筆記具１は、軸筒４と、軸筒４の一端に設けたボールペンチップからなる第１のペン先２Ａと、軸筒４の他端に設けたボールペンチップからなる第２のペン先２Ｂと、前記第１のペン先２Ａ側の軸筒４に装着可能な第１のキャップ８Ａと、前記第２のペン先２Ｂ側の軸筒４に装着可能な第２のキャップ８Ｂとからなる。前記軸筒４内には、第１のペン先２Ａを備えた第１のボールペンレフィル、及び第２のペン先２Ｂを備えた第２のボールペンレフィルが収容される。前記軸筒４の一端より前記第１のペン先２Ａが突出され、前記軸筒４の他端より前記第２のペン先２Ｂが突出される。
【００８２】
前記軸筒４は、両端が開口した円筒状の軸筒本体４１と、該軸筒本体４１の両端に取り付けられる第１の先軸４２Ａ及び第２の先軸４２Ｂからなる。前記第１の先軸４２Ａ及び第２の先軸４２Ｂは、螺合により軸筒本体４１と着脱自在に取り付けられる。
【００８３】
・第１のボールペンレフィル
前記第１のボールペンレフィルは、先端にボールペンチップからなる第１のペン先２Ａを備え、内部に熱変色性インキ３Ｃが収容される。前記熱変色性インキ３Ｃが前記第１のペン先２Ａより外部に吐出され、熱変色性インキ３Ｃによる筆跡を得ることができる。前記第１のペン先２Ａ内には、弾発体（スプリング）が収容される。前記弾発体により、第１のペン先２Ａのボールを、前方に付勢し且つ第１のペン先２Ａの内向きのカシメ部内面（先端縁部内面）に圧接させ、非筆記時のペン先からのインキ漏出及び空気混入を防止する。
【００８４】
前記第１のペン先２Ａは、ペン先ホルダー５Ａを介してインキ収容筒６Ａに取り付けられる。具体的には、前記ペン先ホルダー５Ａの一端に第１のペン先２Ａが固着され、前記ペン先ホルダー５Ａの他端が前記インキ収容筒６Ａの開口部に固着される。前記ペン先ホルダー５Ａは、外周面に鍔部を備え、該鍔部が、第１の先軸４２Ａ内面と、軸筒本体４１一端とにより挟持される。
【００８５】
・熱変色性インキ
前記熱変色性インキ３Ｃは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００８６】
前記インキ収容筒６Ａ内には、熱変色性インキ３Ｃが収容される。前記インキ収容筒６Ａ内の熱変色性インキ３Ｃの後端には、追従体３１Ｃが収容される。前記追従体３１Ｃは、インキの消費に伴い前進し且つインキの後退（即ち逆流）を防止するものであり、例えば、高粘度流体、弾性材料よりなる可動栓、または高粘度流体中に固体物を収容させた構成等が挙げられる。
【００８７】
・第１のキャップ
前記第１のキャップ８Ａは、合成樹脂の射出成形より得られる円筒状部材である。前記第１のキャップ８Ａは、内部に弾性材料よりなるペン先シール部材８１Ａを備える。前記ペン先シール部材８１Ａは、第１のペン先２Ａ側の軸筒４外周面に装着した際、第１のペン先２Ａの先端と密接し、第１のペン先２Ａの先端を密封する。前記第１のキャップ８Ａの側壁には、クリップが一体または別部品の取り付けにより設けられる。
【００８８】
前記第１のキャップ８Ａの頂部（即ち第１のキャップ８Ａの閉鎖側端部）には、軟質材料（例えば、ＳＢＳ樹脂、ＳＥＢＳ樹脂）よりなる摩擦部８２Ａが取り付けられる。尚、前記摩擦部８２Ａは、第１のキャップ８Ａと２色成形により一体に形成することもできる。
【００８９】
・第２のボールペンレフィル
前記第２のボールペンレフィルは、先端にボールペンチップからなる第２のペン先２Ｂを備え、内部に非熱変色性インキ３Ｄが収容される。前記非熱変色性インキ３Ｄが前記第２のペン先２Ｂより外部に吐出され、非熱変色性インキ３Ｄによる筆跡を得ることができる。前記第２のペン先２Ｂ内には、弾発体（スプリング）が収容される。前記弾発体により、第２のペン先２Ｂのボールを、前方に付勢し且つ第２のペン先２Ｂの内向きのカシメ部内面（先端縁部内面）に圧接させ、非筆記時のペン先からのインキ漏出及び空気混入を防止する。
【００９０】
前記第２のペン先２Ｂは、ペン先ホルダー５Ｂを介してインキ収容筒６Ｂに取り付けられる。具体的には、前記ペン先ホルダー５Ｂの一端に第２のペン先２Ｂが固着され、前記ペン先ホルダー５Ｂの他端が前記インキ収容筒６Ｂの開口部に固着される。前記ペン先ホルダー５Ｂは、外周面に鍔部を備え、該鍔部が、第２の先軸４２Ｂ内面と、軸筒本体４１他端とにより挟持される。本実施の形態では、第１のペン先２Ａによる筆跡幅と第２のペン先２Ｂによる筆跡幅とは、ボールペンチップ先端のボールの直径を適宜設定することにより、異なる構成にすることもできるし、同じにすることもできる。
【００９１】
・非熱変色性インキ
前記インキ収容筒６Ｂ内には、非熱変色性インキ３Ｄ（摩擦部８２Ａ，８２Ｂの摩擦熱によっては熱変色しないインキ）が収容される。前記インキ収容筒６Ｂ内の非熱変色性インキ３Ｄの後端には、追従体３１Ｄが収容される。前記追従体３１Ｄは、インキの消費に伴い前進し且つインキの後退（即ち逆流）を防止するものであり、例えば、高粘度流体、弾性材料よりなる可動栓、または高粘度流体中に固体物を収容させた構成等が挙げられる。
【００９２】
・第２のキャップ
前記第２のキャップ８Ｂは、合成樹脂の射出成形より得られる円筒状部材である。前記第２のキャップ８Ｂは、内部に弾性材料よりなるペン先シール部材を備える。前記ペン先シール部材は、第２のペン先２Ｂ側の軸筒４外周面に装着した際、第２のペン先２Ｂの先端と密接し、第２のペン先２Ｂの先端を密封する。
【００９３】
前記第２のキャップ８Ｂの頂部（即ち第２のキャップ８Ｂの閉鎖側端部）には、軟質材料（例えば、ＳＢＳ樹脂、ＳＥＢＳ樹脂）よりなる摩擦部８２Ｂが取り付けられる。尚、前記摩擦部８２Ｂは、第２のキャップ８Ｂと２色成形により一体に形成することもできる。
【００９４】
・キャップの連結
第１のキャップ８Ａの頂部外周面の、露出する摩擦部８２Ａよりキャップ開口方向には、第２のキャップ８Ｂの開口部内周面が嵌合可能な嵌合部８３Ａが形成される。第２のキャップ８Ｂの頂部外周面の、露出する摩擦部８２Ｂよりキャップ開口方向には、第１のキャップ８Ａの開口部内周面が嵌合可能な嵌合部８３Ｂが形成される。
【００９５】
第１のペン先２Ａを使用する際、第１のキャップ８Ａの開口部内周面と第２のキャップ８Ｂの頂部外周面（即ち嵌合部８３Ｂ）とを嵌合させことができる。第２のペン先２Ｂを使用する際、第２のキャップ８Ｂの開口部内周面と第１のキャップ８Ａの頂部外周面（即ち嵌合部８３Ａ）とを嵌合させことができる。
【００９６】
＜第５の実施の形態＞
本発明の熱変色性筆記具１の第５の実施の形態を図５に示す。
本実施の形態の熱変色性筆記具１は、軸筒４と、軸筒４の一端に設けた多孔質ペン体からなる第１のペン先２Ａと、軸筒４の他端に設けた多孔質ペン体からなる第２のペン先２Ｂと、前記第１のペン先２Ａ側の軸筒４に装着可能な第１のキャップ８Ａと、前記第２のペン先２Ｂ側の軸筒４に装着可能な第２のキャップ８Ｂとからなる。前記軸筒４内には、第１のペン先２Ａと接続された第１のインキ吸蔵体７Ａ、及び第２のペン先２Ｂと接続された第２のインキ吸蔵体７Ｂとが収容される。前記軸筒４の一端より前記第１のペン先２Ａが突出され、前記軸筒４の他端より前記第２のペン先２Ｂが突出される。
【００９７】
前記軸筒４は、円筒状の軸筒本体４１と、該本体の両端に取り付けられる第１の先軸４２Ａ及び第２の先軸４２Ｂからなる。前記軸筒本体４１は、両端が開口され、中間部に隔壁を有する。
【００９８】
・第１のペン先
前記第１のペン先２Ａは、第１の先軸４２Ａを介して軸筒本体４１に取り付けられる。具体的には、前記第１の先軸４２Ａの一端に第１のペン先２Ａが固着され、前記第１の先軸４２Ａの他端が前記軸筒本体４１の一端開口部に固着される。前記第１の先軸４２Ａは、外周面に鍔部を備え、該鍔部が、軸筒本体４１の一端に当接される。
【００９９】
・熱変色性インキ
前記第１のインキ吸蔵体７Ａの内部に熱変色性インキが含浸される。前記熱変色性インキが前記第１のペン先２Ａより外部に吐出され、熱変色性インキによる筆跡を得ることができる。第１のインキ吸蔵体７Ａは、インキを含浸可能な連続気孔を有する部材、例えば、繊維加工体、多孔質気泡体等の多孔質材料からなる。
【０１００】
前記熱変色性インキは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【０１０１】
・第１のキャップ
前記第１のキャップ８Ａは、合成樹脂の射出成形より得られる円筒状部材である。前記第１のキャップ８Ａは、第１のペン先２Ａを使用しないとき、第１のペン先２Ａ側の軸筒４の外周面（具体的には第１の先軸４２Ａの外周面）に気密嵌合され、第１のペン先２Ａを密封する。前記第１のキャップ８Ａの側壁には、クリップが一体または別部品の取り付けにより設けられる。
【０１０２】
・第２のペン先
前記第２のペン先２Ｂは、第２の先軸４２Ｂを介して軸筒本体４１に取り付けられる。具体的には、前記第２の先軸４２Ｂの一端に第２のペン先２Ｂが固着され、前記第２の先軸４２Ｂの他端が前記軸筒本体４１の他端開口部に固着される。前記第２の先軸４２Ｂは、外周面に鍔部を備え、該鍔部が、軸筒本体４１の他端に当接される。本実施の形態では、第１のペン先２Ａによる筆跡幅と第２のペン先２Ｂによる筆跡幅とは異なるが、同じでもよい。
【０１０３】
・非熱変色性インキ
前記第２のインキ吸蔵体７Ｂの内部に非熱変色性インキ（摩擦部８２Ａ，８２Ｂの摩擦熱によっては熱変色しないインキ）が含浸される。前記非熱変色性インキが前記第２のペン先２Ｂより外部に吐出され、非熱変色性インキによる筆跡を得ることができる。第２のインキ吸蔵体７Ｂは、インキを含浸可能な連続気孔を有する部材、例えば、繊維加工体、多孔質気泡体等の多孔質材料からなる。
【０１０４】
・第２のキャップ
前記第２のキャップ８Ｂは、合成樹脂の射出成形より得られる円筒状部材である。前記第２のキャップ８Ｂは、第２のペン先２Ｂを使用しないとき、第２のペン先２Ｂ側の軸筒４の外周面（具体的には第２の先軸４２Ｂの外周面）に気密嵌合され、第２のペン先２Ｂを密封する。
【０１０５】
・キャップの連結
第１のキャップ８Ａの頂部外周面の、露出する摩擦部８２Ａよりキャップ開口方向には、第２のキャップ８Ｂの開口部内周面が嵌合可能な嵌合部８３Ａが形成される。第２のキャップ８Ｂの頂部外周面の、露出する摩擦部８２Ｂよりキャップ開口方向には、第１のキャップ８Ａの開口部内周面が嵌合可能な嵌合部８３Ｂが形成される。
【０１０６】
第１のペン先２Ａを使用する際、第１のキャップ８Ａの開口部内周面と第２のキャップ８Ｂの頂部外周面（即ち嵌合部８３Ｂ）とを嵌合させことができる。第２のペン先２Ｂを使用する際、第２のキャップ８Ｂの開口部内周面と第１のキャップ８Ａの頂部外周面（即ち嵌合部８３Ａ）とを嵌合させことができる。
【図面の簡単な説明】
【０１０７】
【図１】本発明の第１の実施の形態の縦断面図である。
【図２】本発明の第２の実施の形態の縦断面図である。
【図３】本発明の第３の実施の形態の縦断面図である。
【図４】本発明の第４の実施の形態の縦断面図である。
【図５】本発明の第５の実施の形態の縦断面図である。
【図６】可逆熱変色性組成物の変色挙動を示す説明図である。
【符号の説明】
【０１０８】
１  熱変色性筆記具
２Ａ  第１のペン先
２Ｂ  第２のペン先
３Ａ  第１の熱変色性インキ
３１Ａ  追従体
３Ｂ  第２の熱変色性インキ
３１Ｂ  追従体
３Ｃ  熱変色性インキ
３１Ｃ  追従体
３Ｄ  非熱変色性インキ
３１Ｄ  追従体
４  軸筒
４１  軸筒本体
４２Ａ  第１の先軸
４２Ｂ  第２の先軸
５Ａ  ペン先ホルダー
５Ｂ  ペン先ホルダー
６Ａ  インキ収容筒
６Ｂ  インキ収容筒
７Ａ  第１のインキ吸蔵体
７Ｂ  第２のインキ吸蔵体
７  インキ吸蔵体
８Ａ  第１のキャップ
８１Ａ  ペン先シール部材
８２Ａ  摩擦部
８３Ａ  嵌合部
８Ｂ  第２のキャップ
８１Ｂ  ペン先シール部材
８２Ｂ  摩擦部
８３Ｂ  嵌合部
【図１】
2008273075.tif 000003
【図２】
2008273075.tif 000004
【図３】
2008273075.tif 000005
【図４】
2008273075.tif 000006
【図５】
2008273075.tif 000007
【図６】
2008273075.tif 000008